(57)【要約】【課題】連動するガス機器が使用された場合に作動して、燃焼排気ガスを排出するとともに、ガス機器が使用されたことを検出した旨の信号を外部機器に送出することで、例えば、使用者が高齢者で、外部機器を所持しているものが使用者から離れて暮らしている親族であるような場合に、親族が外部機器に送出された信号により離れて暮らす使用者（高齢者）の安否を確認することが可能で、かつ、換気が必要でない場合に、換気装置が運転されることによって、エネルギが無駄に消費されることのない換気装置を提供する。【解決手段】通信機能を具備する外部機器との間で通信信号の送受信を行う送受信部２００Ｓを備えているとともに、換気運転開始用の赤外線信号、または、換気運転停止用の赤外線信号を受信したとき、制御部２０が、外部機器に対して、ガス機器が使用されたことを検出した旨の信号を送出するように構成する。【選択図】図１
2020180711.tif 000002
【特許請求の範囲】
【請求項１】
排気用ファンと、
前記排気用ファンを駆動するモータと、
燃焼排気ガスを排出するガス機器が使用されたとき、前記ガス機器が備える信号送出部から送出される換気運転開始用の赤外線信号、および、前記ガス機器が備える信号送出部から送出される換気運転停止用の赤外線信号を受信する信号受信部と、
前記信号受信部が受信した、前記換気運転開始用の赤外線信号、および、前記換気運転停止用の赤外線信号に応じて前記モータの駆動を制御する制御部と
を備えた換気装置であって、
通信機能を具備する外部機器との間で通信信号の送受信を行う送受信部を備えているとともに、
前記換気運転開始用の赤外線信号、または、前記換気運転停止用の赤外線信号を受信したとき、前記制御部が、前記外部機器に対して、前記ガス機器が使用されたことを検出した旨の信号を送出するように構成されていること
を特徴とする換気装置。
【請求項２】
前記信号受信部が前記換気運転開始用の赤外線信号を受信した時点から、所定上限時間が経過した時点で、前記信号受信部が前記換気運転停止用の赤外線信号を受信しないとき、前記外部機器に対して、前記ガス機器の使用時間が前記所定上限時間を超過している旨の信号を送出するように構成されていることを特徴とする請求項１記載の換気装置。
【請求項３】
前記所定上限時間が、前記外部機器を操作することで変更設定可能に構成されていることを特徴とする請求項２記載の換気装置。
【請求項４】
無線通信によって、前記ガス機器が使用されたことを検出した旨の信号の送信が行われるように構成されていることを特徴とする請求項１〜３のいずれかに記載の換気装置。
【請求項５】
無線中継器を介して、インターネットにより、前記ガス機器が使用されたことを検出した旨の信号の送信が行われるように構成されていることを特徴とする請求項４記載の換気装置。
【請求項６】
携帯電話回線を介して、前記ガス機器が使用されたことを検出した旨の信号の送信が行われるように構成されていることを特徴とする請求項４記載の換気装置。
【発明の詳細な説明】
【技術分野】
【０００１】
本発明は、換気装置に関し、詳しくは、外部機器との間で通信を行うことができるように構成された換気装置に関する。
【背景技術】
【０００２】
換気装置の中には、微弱電波による通信を行うことができるようにした換気装置（レンジフード）がある。そして、特許文献１には、ガス調理器との間で、微弱電波による通信を行うことできるように構成された換気装置（レンジフード）が記載されている。
【０００３】
この特許文献１に開示されている換気装置（レンジフード）の場合、微弱電波ではあるものの、通信を行うことができるように構成されているので、例えば、中継器（ルータ）などで中継することで、スマートフォンなどの携帯端末との通信を行うように構成することも可能である。
【０００４】
そして、スマートフォンなどの携帯端末との通信を行うように構成した場合、使用者が換気装置（レンジフード）を使用したことを遠方において確認することができるようになる。
【０００５】
つまり、例えば、使用者が高齢者である場合に、使用者宅に当該換気装置を設置しておき、この換気装置が使用されたときに、上記使用者と離れて暮らす親族が所有する携帯端末（スマートフォンなど）に、当該換気装置が使用されたことを通信によって通知することで、高齢の使用者と離れて暮らす親族は、高齢の使用者が換気装置を使用したことを知ることができ、高齢の使用者の安否を確認することができる。
【先行技術文献】
【特許文献】
【０００６】
【特許文献１】特開２０１７−１８０９８０号公報
【発明の概要】
【発明が解決しようとする課題】
【０００７】
しかしながら、高齢の使用者宅に当該換気装置（レンジフード）を設置しておき、当該換気装置の使用によって、上記高齢の使用者の安否を確認することを想定した場合、本来換気は不要であるのにもかかわらず、上記高齢の使用者の安否を確認するためだけに当該換気装置を使用したのでは、換気装置による換気運転によってエネルギが無駄に消費されることになるため、なんらかの対策が施されていることが望ましい。
【０００８】
本発明は、上記の課題を解決することが可能な換気装置を提供するものであり、連動するガス機器が使用された場合に作動して、ガス機器から排出される燃焼排気ガスを排出するとともに、ガス機器が使用されたことを検出した旨の信号を外部機器に送出することで、例えば、使用者が高齢者で、外部機器を所持しているものが使用者（高齢者）から離れて暮らしている親族であるような場合に、親族が外部機器に送出された信号により離れて暮らす使用者（高齢者）の安否を確認することが可能で、かつ、換気が必要でない場合に、換気装置が運転（換気運転）されることによって、エネルギが無駄に消費されるという事態の発生を抑制することが可能な換気装置を提供することを目的とする。
【課題を解決するための手段】
【０００９】
上記の目的を達成するために、本発明の換気装置は、
排気用ファンと、
前記排気用ファンを駆動するモータと、
燃焼排気ガスを排出するガス機器が使用されたとき、前記ガス機器が備える信号送出部から送出される換気運転開始用の赤外線信号、および、前記ガス機器が備える信号送出部から送出される換気運転停止用の赤外線信号を受信する信号受信部と、
前記信号受信部が受信した、前記換気運転開始用の赤外線信号、および、前記換気運転停止用の赤外線信号に応じて前記モータの駆動を制御する制御部と
を備えた換気装置であって、
通信機能を具備する外部機器との間で通信信号の送受信を行う送受信部を備えているとともに、
前記換気運転開始用の赤外線信号、または、前記換気運転停止用の赤外線信号を受信したとき、前記制御部が、前記外部機器に対して、前記ガス機器が使用されたことを検出した旨の信号を送出するように構成されていること
を特徴としている。
【００１０】
本発明においては、前記信号受信部が前記換気運転開始用の赤外線信号を受信した時点から、所定上限時間が経過した時点で、前記信号受信部が前記換気運転停止用の赤外線信号を受信しないとき、前記外部機器に対して、前記ガス機器の使用時間が前記所定上限時間を超過している旨の信号を送出するように構成されていることが好ましい。
【００１１】
また、前記所定上限時間が、前記外部機器を操作することで変更設定可能に構成されていることが好ましい。
【００１２】
また、無線通信によって、前記ガス機器が使用されたことを検出した旨の信号の送信が行われるように構成されていることが好ましい。
【００１３】
また、無線中継器を介して、インターネットにより、前記ガス機器が使用されたことを検出した旨の信号の送信が行われるように構成されていることが好ましい。
【００１４】
また、携帯電話回線を介して、前記ガス機器が使用されたことを検出した旨の信号の送信が行われるように構成されていることが好ましい。
【発明の効果】
【００１５】
本発明の換気装置は、上述のように構成されており、通信機能を具備する外部機器との間で通信信号の送受信を行う送受信部を備えているとともに、換気運転開始用の赤外線信号、または、換気運転停止用の赤外線信号を受信したとき、制御部が、外部機器に対して、ガス機器が使用されたことを検出した旨の信号を送出するように構成されているので、例えば、使用者が高齢者で、外部機器を所持しているものが遠方に居住する高齢者（使用者）の親族であるような場合において、使用者がガス機器を使用した場合に、その旨が外部機器に送信されるため、高齢者（使用者）と離れて遠方に居住する、上記外部機器を所持する親族が、外部機器によりガス機器が使用されたことを知ることで、遠方からでも高齢者（使用者）の安否を容易に確認することができる。
【００１６】
しかも、換気が必要でない場合に換気装置が運転（換気運転）されてしまうことによって、エネルギが無駄に消費されるという事態が生じることを抑制することが可能な換気装置を実現することができる。
【００１７】
また、信号受信部が換気運転開始用の赤外線信号を受信した時点から、所定上限時間が経過した時点で、信号受信部が換気運転停止用の赤外線信号を受信しないとき、外部機器に対して、ガス機器の使用時間が所定上限時間を超過している旨の信号を送出するように構成した場合、高齢の使用者に対して、加熱の停止を促すことが可能となり、加熱が所定上限時間を超えて長時間継続して行われてしまうことを抑制することが可能になる。
【００１８】
また、所定上限時間が、外部機器を操作することで変更設定することができるようにした場合、所定上限時間の変更設定のために、外部機器の所持者が換気装置の設置場所に移動することが不要になり、使い勝手が良好な換気装置を実現することができる。
【００１９】
また、無線通信によって、ガス機器が使用されたことを検出した旨の信号の送信が行われるように構成した場合、外部機器との間で通信信号の送受信を行うための配線の接続が不要になり、構成が簡潔で、使い勝手の良好な換気装置を提供することが可能になる。
【００２０】
無線中継器を介して、インターネットにより、ガス機器が使用されたことを検出した旨の信号の送信が行われるように構成した場合、外部機器が換気装置から離れた場所にあっても、ガス機器の使用を検出した旨の信号を外部機器に確実に送信することが可能で、設置位置の自由度が高く、使い勝手の良好な換気装置を提供することができる。
【００２１】
携帯電話回線を介して、ガス機器が使用されたことを検出した旨の信号の送信が行われるように構成した場合、外部機器が換気装置から離れた場所にあっても、ガス機器の使用を検出した旨の信号を外部機器に確実に送信することが可能で、設置位置の自由度が高く、しかも、インターネットにより通信を行う場合に必要なネットの接続に必要な設定が不要で、使い勝手の良好な換気装置を提供することができる。
【図面の簡単な説明】
【００２２】
【図１】本発明の一実施形態にかかる換気装置の切欠き正面図である。
【図２】本発明の一実施形態にかかる換気装置と外部機器との無線通信の概要を示す図である。
【図３】本発明の一実施形態にかかる換気装置と外部機器との無線通信の変形例の概要を示す図である。
【図４】本発明の一実施形態にかかる換気装置と外部機器との無線通信の他の変形例の概要を示す図である。
【図５】本発明の一実施形態にかかる換気装置と外部機器との無線通信の概要を示すブロック図である。
【図６】本発明の別実施形態にかかる換気装置と外部機器との無線通信の概要を示すブロック図である。
【発明を実施するための形態】
【００２３】
以下、本発明の実施形態を示して、その特徴とするところをさらに詳しく説明する。
【００２４】
［実施形態］
図１に示した本実施形態にかかる換気装置（本実施形態ではレンジフード）１１０は、ガス機器（本実施形態ではガスコンロ）（図示せず）とともに、台所に設置されて用いられる換気装置である。
【００２５】
＜換気装置の基本構成＞
以下、換気装置の基本構成について、図１を参照しつつ説明した後、本発明の特徴的な構成について説明する。
【００２６】
図１に示すように、本実施形態にかかる換気装置（レンジフード）１１０は、排気用ファン１０１と、排気用ファン１０１を駆動するモータ１０７と、台所内の空気の吸い込み口であるフード部１０３と、排気ダクト１０６を備えている。
【００２７】
そして、排気用ファン１０１を駆動するモータ１０７に通電して、排気用ファン１０１を駆動することにより、フード部１０３から吸い込んだ台所内の空気が、排気ダクト１０６を経由して、台所の外部に排出されるように構成されている。
【００２８】
なお、本実施形態にかかる換気装置（レンジフード）１１０においては、駆動用の電源として商用電源（ＡＣ１００Ｖ）が用いられている。
【００２９】
また、一般的には、レンジフード１１０の排気ダクト１０６には、延長用排気筒（図示せず）などが接続されように構成されており、レンジフード１１０のフード部１０３から吸引された台所内の空気は、排気ダクトから上記延長用排気筒を経て、台所の外部に排出されることになる。
【００３０】
そして、レンジフード１１０には、ガス機器（ガスコンロ）（図示せず）の信号送出部（図示せず）から送出される換気運転開始用の赤外線信号、および、ガスコンロの信号送出部から送出される換気運転停止用の赤外線信号を受信する信号受信部２００Ｓ（図１）を備えている。
【００３１】
この信号受信部２００Ｓが換気運転開始用の赤外線信号を受信すると、制御部２０（図１、図５参照。）が、排気用ファン１０１を駆動するモータ１０７に通電して、排気用ファン１０１を駆動することで、換気運転を開始するように構成されている。
【００３２】
また、排気用ファン１０１を駆動させた換気運転の実行中に、信号受信部２００Ｓが換気運転停止用の赤外線信号を受信すると、制御部２０（図１、図５参照）が、排気用ファン１０１を駆動するモータ１０７への通電を停止し、排気用ファン１０１の駆動を停止して、換気運転を停止するように構成されている。
【００３３】
また、本実施形態にかかるレンジフード１１０は、操作スイッチ５０として、強運転スイッチ５０ａ、中運転スイッチ５０ｂ、弱運転スイッチ５０ｃ、停止スイッチ５０ｄを備えているとともに、通信スイッチ５０ｅを備えている。
【００３４】
強運転スイッチ５０ａ、中運転スイッチ５０ｂ、弱運転スイッチ５０ｃ、停止スイッチ５０ｄが、本発明における「排気用ファン発停用スイッチ」を構成し、停止スイッチ５０ｄが、後述するように、排気用ファン１０１の駆動を停止する停止スイッチと、本発明における「通信スイッチ」の両方を構成している。
【００３５】
そして、強運転スイッチ５０ａを押し操作することで、モータ１０７が高速（例えば１５００ｒｐｍ）で回転し、強い換気運転を行うように構成されている。
【００３６】
また、中運転スイッチ５０ｂを押し操作することで、モータ１０７が中速（例えば１０５０ｒｐｍ）で回転し、中強度の換気運転を行うように構成されている。
【００３７】
また、弱運転スイッチ５０ｃを押し操作することで、モータ１０７が低速（例えば８５０ｒｐｍ）で回転し、弱い換気運転を行うように構成されている。
【００３８】
また、停止スイッチ５０ｄを押し操作することで、排気用ファン１０１を駆動するモータ１０７への通電を停止し、排気用ファン１０１の駆動を停止して、換気運転を停止するとともに、後述のような通信を行うように構成されている。
【００３９】
また、本実施形態にかかるレンジフード１１０において、制御部２０は、図５に示すように、換気運転情報などを一時的に記憶する情報一時記憶部２１と、外部機器（例えばスマートフォンなどの携帯端末）２Ｘとの間で通信信号の送受信を行う送受信部２２を備えている。
【００４０】
また、外部機器２Ｘは、図５に示すように、レンジフード１１０の送受信部２２との間で送受信を行う送受信部３２と、操作表示部３３と、レンジフード１１０の運転情報を記憶する換気運転情報記憶部（不揮発性メモリ）３４とを備えている。
【００４１】
なお、図５に示す構成とした場合、本発明とは直接に関係のない効果ではあるが、外部機器２Ｘの送受信部３２が、換気運転情報記憶部３４が記憶する換気運転情報を、換気装置１１０の制御部２０に送ることができる。
【００４２】
そして、制御部２０が、レンジフード１１０に備える操作スイッチ５０（すなわち、強運転スイッチ５０ａ、中運転スイッチ５０ｂ、弱運転スイッチ５０ｃ、停止スイッチ５０ｄ、および、通信スイッチ５０ｅ（本実施形態では、停止スイッチ５０ｄが通信スイッチ５０ｅを兼用している）のいずれか）が操作されたことを検出したとき、制御部２０は、外部機器２Ｘに対して、使用者により上記操作が行われたことを検出した旨の信号を送出するように構成されている。
【００４３】
具体的には、強運転スイッチ５０ａを押し操作することで、モータ１０７が高速（例えば１５００ｒｐｍ）で回転し、強い換気運転が行われるとともに、使用者による操作を検出した旨の信号が送受信部２２から外部機器２Ｘに対して送出される。
【００４４】
また、中運転スイッチ５０ｂを押し操作することで、モータ１０７が中速（例えば１０５０ｒｐｍ）で回転し、中強度で換気運転が行われるとともに、使用者による操作を検出した旨の信号が送受信部２２から外部機器２Ｘに対して送出される。
【００４５】
また、弱運転スイッチ５０ｃを押し操作することで、モータ１０７が低速（例えば８５０ｒｐｍ）で回転し、弱いで換気運転が行われるとともに、使用者による操作を検出した旨の信号が送受信部２２から外部機器２Ｘに対して送出される。
【００４６】
さらに、停止スイッチ５０ｄを押し操作することで、排気用ファン１０１を駆動するモータ１０７への通電が停止され、排気用ファン１０１が停止して換気運転が停止されるとともに、使用者による操作を検出した旨の信号が送受信部２２から外部機器２Ｘに対して送出される。
【００４７】
また、停止スイッチ５０ｄは、通信スイッチ５０ｅを兼用するので、停止スイッチ５０ｄを押し操作した場合には、レンジフード１１０の運転状態にかかわらず、使用者による操作を検出した旨の信号が送受信部２２から外部機器２Ｘに対して送出されるように構成されている。
【００４８】
ただし、本実施形態にかかるレンジフード１１０では、停止スイッチ５０ｄが通信スイッチ５０ｅを兼用するように構成されており、上述のように、レンジフード１１０による換気運転中に停止スイッチ５０ｄを押し操作することで、排気用ファン１０１を駆動するモータ１０７への通電を停止して、排気用ファン１０１の駆動を停止して換気運転を停止するとともに、使用者による操作を検出した旨の信号が送受信部２２から携帯端末などの外部機器２Ｘに対して送出されるように構成されているが、レンジフード１１０による換気運転を行っていない状態で停止スイッチ５０ｄを押し操作したときにも、制御部２０が、使用者による操作を検出した旨の信号を送受信部２２から携帯端末などの外部機器２Ｘに対して送出するように構成されている。
【００４９】
つまり、レンジフード１１０による換気運転を行っていないときには、停止スイッチ５０ｄが、制御部２０が外部機器２Ｘに対して使用者による操作を検出した旨の信号を送出するための通信スイッチとして機能する。したがって、制御部２０は、レンジフード１１０が備えている強運転スイッチ５０ａ、中運転スイッチ５０ｂ、弱運転スイッチ５０ｃ、停止スイッチ５０ｄ、および、通信スイッチ５０ｅのいずれのスイッチが操作されたときにも、携帯端末２Ｘに対して、使用者による操作が検出された旨の信号を送出するように構成されている。
【００５０】
なお、停止スイッチ５０ｄが通信スイッチ５０ｅを兼ねるように構成した場合、通信スイッチとして専用のスイッチを設ける必要がないので、コストの低減を図ることができる。
【００５１】
すなわち、本実施形態にかかる換気装置（レンジフード）１１０は上述のように構成されているので、例えば、換気装置１１０の使用者が高齢者で、携帯端末などの外部機器２Ｘを所持しているものが遠方に居住する高齢者（使用者）の親族であるような場合において、使用者が排気用ファン発停用スイッチ（本実施形態では、強運転スイッチ５０ａ、中運転スイッチ５０ｂ、弱運転スイッチ５０ｃ、停止スイッチ５０ｄ）、または、通信スイッチ５０ｅ（本実施形態では、停止スイッチ５０ｄが通信スイッチを兼用している）の操作を行った場合に、その旨が携帯端末などの外部機器２Ｘに送信されるため、使用者と離れて遠方に居住する、上記外部機器２Ｘを所持する親族が、外部機器２Ｘにより上記操作が行われたことを知ることで、高齢者（使用者）の安否を遠方から容易に確認することが可能になるとともに、換気が必要でない場合における換気装置の運転（換気運転）によって、エネルギが無駄に消費されるという事態が生じることを抑制することができる。
【００５２】
また、本実施形態にかかる換気装置（レンジフード）１１０においては、無線通信によって、使用者による操作を検出した旨の信号の送信が行われるように構成されている（図２参照）。
【００５３】
具体的には、換気装置（レンジフード）１１０と無線ルータ３Ｘとが無線通信を行い、無線ルータ３Ｘと携帯端末（スマートフォンなど）２Ｘとが無線通信を行うように構成されている。
【００５４】
無線通信によって、上述の使用者による操作が行われた旨の信号の送信が行われるように構成した場合、携帯端末などの外部機器２Ｘとの間で通信信号の送受信を行うための配線の接続が不要になり、構成が簡潔で、使い勝手の良好な換気装置を実現することができる。
【００５５】
また、変形例として、図３に示すように、無線中継器３ＸがインターネットＸに接続されており、無線中継器３Ｘを介して、インターネットＸにより、上述の使用者による操作が行われた旨の信号の、携帯端末などの外部機器２Ｘへの送信が行われるように構成することも可能である。
【００５６】
このように、インターネットＸを介して、上述の使用者による操作が行われた旨の信号の送信が行われるように構成した場合も、レンジフード１１０から離れた位置にある携帯端末などの外部機器２Ｘに、レンジフード１１０において、上述の使用者による操作が行われた旨の信号を確実に送信することが可能であり、設置位置の自由度が高く、使い勝手の良好な換気装置を実現することができる。
【００５７】
また、さらに他の変形例として、換気装置１１０が、図４に示すように、携帯電話回線Ｚを介して、上述の使用者による操作が行われた旨の信号の、携帯端末などの外部機器２Ｘへの送信を行うように構成することも可能である。
【００５８】
このように、携帯電話回線Ｚを介して、上述の使用者による操作が行われた旨の信号の送信が行われるように構成した場合も、換気装置１１０から離れた位置にある携帯端末（外部機器）２Ｘに、上述の使用者による操作が行われた旨の信号の送信を確実に送信することが可能な、設置位置の自由度が高い換気装置を提供することができる。さらに、この構成の場合、インターネットＸにより通信を行う場合に必要となるネット接続のための初期設定が不要で、機器設置に手間がかからず、使い勝手の良好な換気装置を実現することができる。
【００５９】
＜特徴的構成＞
次に、本実施形態にかかる換気装置（レンジフード）１１０の特徴的な構成について説明する。
【００６０】
本実施形態にかかる換気装置（レンジフード）１１０は、特に図示しないガス機器（ガスコンロ）の信号送出部から送信される換気運転開始用の赤外線信号、または、換気運転停止用の赤外線信号を、信号受信部２００Ｓ（図１）が受信したときに、制御部２０（図１、図５）が、携帯端末などの外部機器２Ｘ（図２〜図５）に対して、ガス機器が使用（操作）されたことを検出した旨の信号を送出するように構成されている。
【００６１】
本実施形態にかかる換気装置（レンジフード）１１０は、上述のように構成されており、換気運転開始用および換気運転停止用の赤外線信号を、信号受信部２００Ｓが受信したとき、制御部２０が、携帯端末などの外部機器２Ｘに対して、ガス機器が使用（操作）されたことを検出した旨の信号を送出するようにしているので、換気装置（レンジフード）１１０が直接に操作されることなく、ガス機器（ガスコンロ）のみが直接に使用された場合にも、レンジフード１１０が運転を開始して換気を行うとともに、ガス機器が使用（操作）された旨の信号が外部機器２Ｘに送信されることになる。
【００６２】
その結果、例えば、ガス機器（ガスコンロ）の使用者が高齢者で、外部機器を所持しているものが遠方に居住する高齢者（使用者）の親族であるような場合において、高齢者（使用者）がガス機器を使用した場合に、ガス機器が使用され、換気装置が動作したことを外部機器により確認することで、親族は高齢者（使用者）の安否を容易に確認することができる。
【００６３】
しかも、換気装置が操作されることで、外部機器にその操作が行われたことを送信するようにした場合には生じることがある事態、すなわち、換気が必要でない場合に換気装置が運転されてしまうことによって、エネルギが無駄に消費されるという事態が生じることを抑制することができる。
【００６４】
さらに、本実施形態にかかる換気装置（レンジフード）１１０においては、信号受信部２００Ｓがガス機器（ガスコンロ）から送信される換気運転開始用の赤外線信号を受信した時点から、所定上限時間（例えば１０分）が経過した時点で、信号受信部２００Ｓがガスコンロから換気運転停止用の赤外線信号を受信しないとき、外部機器２Ｘに対して、ガスコンロの使用時間（加熱時間）が所定上限時間（例えば１０分）を超過している旨の信号を送出するように構成されている。
【００６５】
本実施形態にかかる換気装置（レンジフード）１１０は、このように構成されているので、離れて暮らす高齢の使用者に対して、高齢の使用者の親族が、加熱の停止を促すことが可能になり、加熱が所定上限時間（例えば１０分）を超えて長時間継続して行われてしまうことを抑制することが可能になり、安全性を向上させることができる。
【００６６】
また本実施形態にかかる換気装置（レンジフード）１１０では、所定上限時間（例えば１０分）が、外部機器２Ｘを操作することで変更設定可能に構成されている。
【００６７】
このように外部機器２Ｘを操作することで所定上限時間の変更設定を行うことができるように構成した場合、所定上限時間（例えば１０分）の変更設定のために、高齢の使用者の親族（外部機器２Ｘの所持者）がガスコンロおよび換気装置の設置場所に移動することが不要になり、使い勝手が良好な換気装置を実現することができる。
【００６８】
また、本実施形態にかかる換気装置（レンジフード）１１０においては、無線ルータ３Ｘを介して無線通信を行うことによって、ガス機器（ガスコンロ）が使用されたことを検出した旨の信号の送信が行われるように構成されている（図２参照）。
【００６９】
このように構成することで、外部機器２Ｘとの間で通信信号の送受信を行うための配線の接続が不要になり、構成が簡潔で、使い勝手の良好なレンジフード１１０を提供することが可能になる。
【００７０】
なお、無線中継器３Ｘを介して、インターネットＸにより、ガス機器（ガスコンロ）が使用されたことを検出した旨の信号の送信が行われるように構成することも可能である（図３参照）。
【００７１】
このように構成した場合、外部機器２Ｘがレンジフード１１０から離れた場所にある場合にも、ガス機器（ガスコンロ）が使用されたことを検出した旨の信号を外部機器２Ｘに確実に送信することが可能で、設置位置の自由度が高く、使い勝手の良好なレンジフード１１０を提供することができる。
【００７２】
さらに、送受信部１３２が、携帯電話回線Ｚを介して、外部機器２Ｘに対して、ガス機器（ガスコンロ）が使用されたことを検出した旨の信号の送信が行われるように構成してもよい（図４参照）。
【００７３】
このように構成した場合も、外部機器２Ｘがレンジフード１１０から離れた場所にある場合にも、ガス機器（ガスコンロ）が使用されたことを検出した旨の信号を外部機器２Ｘに確実に送信することが可能で、設置位置の自由度が高く、しかも、インターネットにより通信を行う場合に必要なネットの接続のための設定が不要であることから、使い勝手の良好なレンジフード１１０を提供することができる。
【００７４】
［別実施形態］
図６は、本発明の別実施形態にかかるに換気装置（レンジフード）１１０と、外部機器（第１外部機器１２Ｘ、第２外部機器２２Ｘ）との無線通信の概要を示すブロック図である。以下に、その構成について説明する。
【００７５】
この別実施形態においても、換気装置１１０の制御部２０は、上述の実施形態にかかる換気装置１１０の場合と同様に、情報一時記憶部（不揮発性メモリ）２１と、送受信部２２とを備えている。
【００７６】
一方、外部機器としては、第１外部機器１２Ｘと、第２外部機器２２Ｘの２つの外部機器を備えた構成とされている。ここでは、外部機器が、サーバである第１外部機器１２Ｘと、端末機器である第２外部機器２２Ｘとから構成されている。
【００７７】
なお、上述の第１外部機器１２Ｘは、インターネットに接続されるサーバであって、換気運転情報記憶部（不揮発性メモリ）１３４と、送受信部１３２を備えている。
【００７８】
また、第２外部機器２２Ｘは、第１外部機器１２Ｘとの間で送受信を行うための送受信部２３２と、第１外部機器１２Ｘの換気運転情報記憶部１３４が記憶する換気運転情報を表示するとともに、条件の設定入力などの操作を行うための操作・表示部２３３とを備えた端末機器であり、例えば、スマートフォンなどがこの第２外部機器２２Ｘとして用いられる。
【００７９】
このように構成した場合も、ガス機器が使用されたことが検出されたときに、制御部２０は、スマートフォンなどの第２外部機器２２Ｘに対して、その旨の信号を送出することができる。
【００８０】
なお、図６に示す構成とした場合、本発明とは直接に関係のない効果ではあるが、送受信部２３２と、操作・表示部２３３とを備えた第２外部機器（例えばスマートフォンなどの端末機器）２２Ｘが、第１外部機器（サーバ）１２Ｘとの間で通信を行って、第１外部機器（サーバ）１２Ｘの換気運転情報記憶部１３４に記憶されている換気運転情報を、第２外部機器（例えばスマートフォン）２２Ｘの操作・表示部２３３に表示するとともに、第２外部機器２２Ｘの操作・表示部２３３を操作することにより、第１外部機器１２Ｘの換気運転情報記憶部１３４が記憶する換気運転情報を、換気装置（レンジフード）１１０の制御部２０に送ることができる。
【００８１】
本発明は、上記実施形態に限定されるものではなく、本発明の範囲内において種々の変形を加えることが可能である。
【符号の説明】
【００８２】
２Ｘ      外部機器（スマートフォンなどの携帯端末）
３Ｘ      無線中継器（無線ルータ）
１２Ｘ    第１外部機器
２０      制御部
２１      情報一時記憶部
２２      送受信部
２２Ｘ    第２外部機器
３２      外部機器の送受信部
３３      外部機器の操作・表示部
３４      換気運転情報記憶部（不揮発性メモリ）
５０      操作スイッチ
５０ａ    強運転スイッチ
５０ｂ    中運転スイッチ
５０ｃ    弱運転スイッチ
５０ｄ    停止スイッチ
５０ｅ    通信スイッチ
１０１    排気用ファン
１０３    フード部
１０６    排気ダクト
１０７    モータ
１１０    換気装置（レンジフード）
１３２    第１外部機器の送受信部
１３４    第１外部機器の換気運転情報記憶部
２３２    第２外部機器の送受信部
２３３    第２外部機器の操作・表示部
Ｘ        通信経路（インターネット）
Ｙ        通信経路（無線通信回路）
Ｚ        通信経路（携帯電話回線）
２００Ｓ  信号受信部
【図１】
2020180711.tif 000003
【図２】
2020180711.tif 000004
【図３】
2020180711.tif 000005
【図４】
2020180711.tif 000006
【図５】
2020180711.tif 000007
【図６】
2020180711.tif 000008